(57)【要約】【課題】全体をコンパクトに構成でき、管継手部に対して取り付けが容易であり、作業性がよい管継手部の水圧試験装置とこれを用いた水圧試験方法を提供する。【解決手段】円周方向に複数個に分割されていて、管どうし１，２の継手部を囲うようにして密閉装着可能な水圧試験装置本体３と、この水圧試験装置本体３に装着され、一方の管１の外表面に接当して、継手部から水圧試験装置本体３の抜け出しを阻止すべく作用する押しネジ６と、継手部を囲った水圧試験装置本体３の内部空間を密閉するシール手段８，９と、水圧試験装置本体３に加圧水を導入可能な開口孔１６を設けている管継手部の水圧試験装置。【選択図】図１
2008026022.tif 000002
【特許請求の範囲】
【請求項１】
円周方向に複数個に分割されていて、管どうしの継手部を囲うようにして密閉装着可能な水圧試験装置本体と、この水圧試験装置本体に装着され、一方の管の外表面に接当して、前記継手部から前記水圧試験装置本体の抜け出しを阻止すべく作用する係止手段と、前記継手部を囲った水圧試験装置本体の内部空間を密閉するシール手段と、前記水圧試験装置本体に加圧水を導入可能な開口孔を設けている管継手部の水圧試験装置。
【請求項２】
前記継手部が受口を有する管に挿口を有する管を挿入して結合されていて、前記水圧試験装置本体が受口を有する前記管の端面に接当する接当部を有していると共に、前記係止手段が受口を有する前記管の外表面に接当して係止するようになっている請求項１記載の管継手部の水圧試験装置。
【請求項３】
管の外表面に接当する前記係止手段の先端が、前記管に食い込み可能なエッジ形状に形成されている請求項１又は２記載の管継手部の水圧試験装置。
【請求項４】
前記シール手段が、受口を有する前記管の外表面と、挿口を有する前記管の外表面とにそれぞれ密着してシールする請求項１〜３のいずれか１項記載の管継手部の水圧試験装置。
【請求項５】
請求項１〜４のいずれか１項記載の管継手部の水圧試験装置を、管どうしの継手部を囲うようにして密閉装着し、前記水圧試験装置本体に設けられている開口孔に加圧水を導入し、水圧を測定することにより漏水を検査する管継手部の水圧試験方法。
【発明の詳細な説明】
【技術分野】
【０００１】
本発明は管継手部の水圧試験装置とこれを用いた水圧試験方法に関し、詳しくは、管どうしの継手部を囲うようにして密閉装着することにより、管継手部のシール性を検査する管継手部の水圧試験装置とこれを用いた水圧試験方法に関する。
【背景技術】
【０００２】
一方の管に他の管を挿入した管継手を、順次構成して施設される流体用配管を設置する場合、管どうしの継手部から流体が漏れだすか否かの気密性試験として、所定圧の水圧をかけて、水圧の変化を検査する方法が行われる。特に伸縮機能を有する管継手部を備えた配管の場合には、水圧試験を行う前に、管どうしが伸縮しないように固定する必要がある。仮に管どうしを固定せずに水圧をかけると、その水圧により、管どうしが離間する方向に移動して管路が蛇行し、最悪の場合には、管が伸びきってしまい、伸縮機能を失ってしまうからである。そのため、従来は、所定長さに複数本連結した配管に対して、管端部を栓などで封止すると共に、この配管を土中に埋めてその土圧（土の重量）で管どうしの移動を阻止し、水圧をかける試験を実施していた。
【０００３】
この方法では、水圧が上がらず、漏れ個所があると判断された場合には、被覆した土を除去しなければ漏出個所を特定できないという欠点がある。
【０００４】
そこで、かかる欠点をなくすため、継手部から流体が漏出したとしても、漏出が拡大せず、漏出を継手部に限定する装置として、閉空間形成部材で継手部を覆い、この部材により形成される空間内に継手部を収容し、この空間内に空気あるいは水を充填し、圧力変化から漏出判定をする発明が提案されている（例えば、特許文献１）。
【０００５】
【特許文献１】特開２００１−５９７９４号公報
【発明の開示】
【発明が解決しようとする課題】
【０００６】
しかしながら、上記従来技術の閉空間形成部材は、管径よりかなり大径を有する太鼓状をした略円筒体からなり、これで継手部全体を覆うことになるので、配管どうしを接合する継手部から大きく張出し、広い空間面積を占めざるを得なくなり、周囲に他の設備などが配設されている箇所では、装着することができないのみならず、取り扱いが面倒であり、作業性が悪い。
【０００７】
そこで、本発明の目的は、全体をコンパクトに構成でき、管継手部に対して取り付けが容易であり、作業性がよい管継手部の水圧試験装置とこれを用いた水圧試験方法を提供することにある。
【課題を解決するための手段】
【０００８】
上記課題は、各請求項記載の発明により達成される。すなわち、本発明に係る管継手部の水圧試験装置の特徴構成は、円周方向に複数個に分割されていて、管どうしの継手部を囲うようにして密閉装着可能な水圧試験装置本体と、この水圧試験装置本体に装着され、一方の管の外表面に接当して、前記継手部から前記水圧試験装置本体の抜け出しを阻止すべく作用する係止手段と、前記継手部を囲った水圧試験装置本体の内部空間を密閉するシール手段と、前記水圧試験装置本体に加圧水を導入可能な開口孔を設けていることにある。
【０００９】
この構成によれば、継手部から大きく張出す部分を有することもなく、専有空間を小さくして、管どうしの継手部を容易かつ確実に囲うことができ、しかも継手部からの水圧試験装置本体の抜け出しを阻止すべく作用する係止手段により、水圧をかけたとしても、確実に漏出個所を検知することができる。
【００１０】
その結果、全体をコンパクトに構成でき、管継手部に対して取り付けが容易であり、作業性がよい管継手部の水圧試験装置を提供することができた。
【００１１】
前記継手部が受口を有する管に挿口を有する管を挿入して結合されていて、前記水圧試験装置本体が受口を有する前記管の端面に接当する接当部を有していると共に、前記係止手段が受口を有する前記管の外表面に接当して係止するようになっていることが好ましい。
【００１２】
この構成によれば、水圧試験を実施する際、水圧試験装置本体を設置する際の位置決めが容易であり、水圧をかけた場合に確実かつ強固に継手部からの抜け出しを阻止することができる。
【００１３】
管の外表面に接当する前記係止手段の先端が、前記管に食い込み可能なエッジ形状に形成されていることが好ましい。
【００１４】
この構成によれば、水圧をかけた場合に、その水圧により、水圧試験装置本体が管継手部より離間しようとする動きに対して、係止手段の先端が効果的に抵抗し得る。
【００１５】
また、本発明に係る管継手部の水圧試験方法の特徴構成は、請求項１〜４のいずれか１項記載の管継手部の水圧試験装置を、管どうしの継手部を囲うようにして密閉装着し、前記水圧試験装置本体に設けられている開口孔に加圧水を導入し、水圧を測定することにより漏水を検査することにある。
【００１６】
この構成によれば、全体をコンパクトに構成でき、管継手部に対して取り付けが容易であり、作業性がよい管継手部の水圧試験方法を提供することができる。
【発明を実施するための最良の形態】
【００１７】
本発明にかかる水圧試験装置の実施の形態を、伸縮機構を有する水道管用管継手部に装着する場合を例に挙げ、図面を参照して詳細に説明する。図1は、端部に受口を有する管１に対して端部に挿口を有する管２を挿入し結合した管継手部に、本実施形態に係る水圧試験装置を装着した状態を示す部分正面構造を示し、図２は、図１のＡ部を拡大した水圧試験装置３の上半体の断面構造を示す。
【００１８】
この水圧防止装置は、図２に示すように、その本体３が上部半体３ａと下部半体３ｂの上下二つ割りになっていて、上部半体３ａのフランジ部４ａと下部半体３ｂのフランジ部４ｂとをボルト・ナットのような締結具５を用いて締結・固着することにより、ゴムパッキンの圧着による止水性能および管周りの廻り止めが図られている。水圧試験装置本体３が、このように上下二つ割りになっているため、取り付け作業が容易となると共に、試験終了後の解体が容易となる。もとより、水圧試験装置本体３は三つ割になっていてもよく、その数に限定されない。
【００１９】
更に、水圧試験装置本体３は、外径の異なる既設の水道管１，２の継手部に対して、それぞれ外嵌可能に段付き構造を有しており、水道管１，２の継手部に対して、小空間Ｓを形成する。受口を有する大径の管１に対しては、上部半体３ａと下部半体３ｂにそれぞれ螺着される係止手段である押しネジ６により、押しつけ係止される。この押しネジ６は、図１，２に示すように、水圧試験装置本体３から一体的に張り出すアーム部３ｃに取り付けられて、その先端は、尖ったエッジ部６ａに形成されており、管１の外表面に食い込むようになっている。そのため、水圧をかけた場合などに、その水圧により、水圧試験装置本体が管継手部より離間しようとする動きに対して、効果的かつ強固に抵抗し得るようになっている。両上部、下部半体３ａ，３ｂに夫々設けられているアーム部３ｃには、開口孔１６が形成されており、その開口孔１６は後述するように、水圧試験用ホースと接続可能になっていて、水圧試験用ホースが接続される前は開口孔１６を閉鎖するプラグ１０が螺着されている。一対のプラグ１０の内、通常は、上部のプラグ１０を開いてホースと接続し、他方のプラグ１０は、水圧試験が終了した際に、開放して空間内に溜まった水を排出する等として使用される。
【００２０】
また、大径の管１の開口端側は、幾分大径に形成された受口段部１ａを有しており、この受口段部１ａの端面である外表面に水圧試験装置本体３の接当部（図示はしないが、水圧試験装置本体３の内周面側に略等間隔で４個所、凸状に形成されている）が接当するようになっていて、この状態で、押しネジ６を管１の外表面に押しつけ固着する。この場合、漏出した水の圧力によって、水圧試験装置本体３が管１から抜け出す方向に変位すると、押しネジ６の抵抗によって抜け出しが阻止されるが、本管内圧力が抜け出し阻止力以上になる時には、押しネジ６が抵抗しつつ移動し、受口段部１ａの外周部に接当して、管１からの抜け出しを阻止する。その間、以下に説明するシール手段であるゴムパッキンにより、継手部における水密性が保たれるため、管内部の水が水圧試験装置の外部に漏れ出すことはない。なお、図番２０は、管２が管１から離間する方向に外力が作用した場合に抜け止め作用を発揮する、Ｃ字状あるいは円形リング形をしたロックリングであり、図番２１はこのロックリング２０を位置決めすべく芯だしするためのロックリング２０と同様な形状をした、弾性材料からなる芯だし部材である。また、図番８は、管１の内周面に設けられた凹部に嵌め込み装着される継手部のシール用ゴム輪であり、管１の内周面と管２の外周面に圧設してシール機能を発揮する。
【００２１】
継手部での流体の漏出を防止するため、受口段部１ａに対面する水圧試験装置本体３の内周面にパッキン取り付け凹部を形成してゴムパッキン９を装着すると共に、挿口を有する小径の管２に対しても、水圧試験装置本体３の内周面に設けられている凹部に水密用のゴムパッキン９が嵌め込み装着されていて、このゴムパッキン９が管１，２の外表面に密着して接当し、水密性を確保している。このゴムパッキン９は、図３に示すように、互いに接続する大径部９ａと小径部９ｂの半円状に形成されていて、このゴムパッキン９の一対が、それぞれ上下二つ割りの水圧試験装置本体３の上部半体３ａと下部半体３ｂに装着される。尚、図３は、図２との関係では、前後逆に表されている。
【００２２】
＜水圧試験方法＞
次に、水圧試験装置本体３を継手部に装着して、水圧試験を行う方法を説明する。水圧試験装置本体３を水道管１，２の継手部に装着した後、水圧試験装置本体３のアーム部３ｃの開口孔１６に螺着されているプラグ１０を取り外し、水圧試験用ポンプ１２と接続しているホース１３を装着する。この場合、ホース１３の先端には、アーム部３ｃの開口孔１６に螺着可能な金具１４が取り付けられていて、この金具１４を開口孔１６に螺着して水密に接続する。
【００２３】
その後、水圧試験用ポンプ１２によりホース１３を介して水圧試験装置本体３に設けられている開口孔１６に加圧水を導入して、小空間Ｓに水を充たし、水圧計１５によって水圧を測定することにより漏水を検査する。シール用ゴム輪８の装着が不十分である場合には、その個所から加圧水が漏れて水圧が低下し、水圧計に所定の水圧が表示されなくなるので、容易に漏水の有無を検知することができる。
【００２４】
このように、装置構成全体がコンパクトで、装着が容易な水圧試験装置本体３を管継手部に装着することにより、継手部のシール状態を容易に検査することができるものとなる。しかも、小空間Ｓに水を充たすだけであるため、水圧試験に使用する水量は少なくて済み、水圧試験に要する時間も短時間で済む。
【００２５】
〔別実施の形態〕
（１）上記実施形態において、管自体の径が同じである、受口を有する管１と挿口を有する管２との組み合わせによる継手部に対する水圧試験装置の例を示したが、管形状が異なる異形管に対しても同様な効果を発揮し得る。
【００２６】
（２）上記実施形態において、管として水道管を例に挙げて説明したが、管内を通流する流体としては、水に限定されるものではなく、水溶液、その他の流体であってもよい。
【図面の簡単な説明】
【００２７】
【図１】本発明の一実施形態に係る水圧試験装置を装着した配管の管継手部の部分正面図
【図２】図１の水圧試験装置の上部半断面図
【図３】水圧試験装置本体に装着されるシール手段の斜視図
【符号の説明】
【００２８】
１，２      管
３          水圧試験装置本体
６          係止手段
９          シール手段
１６        開口孔
【図１】
2008026022.tif 000003
【図２】
2008026022.tif 000004
【図３】
2008026022.tif 000005